(57)【要約】【課題】シンプルな構成かつ、紙葉類収納カセット内の紙葉類を直接見ることなく当該紙葉類収納カセットに紙葉類が収納されているか否かを一目で確認することができ、このため耐久性、利便性を向上させることができるとともに良好な防盗性を得ることができる紙葉類収納カセット等を提供する。【解決手段】紙葉類収納カセット３０の筐体３０ａには２つの開口３１ａ、３１ｂが設けられている。筐体３０ａ内に設けられた光誘導手段３４、３５により、一方の開口３１ａにより筐体３０ａ内に取り入れられ紙葉類収納スペース３７を通過した光が他方の開口３１ｂへ誘導されるようになっている。【選択図】図３
2013029997.tif 000002
【特許請求の範囲】
【請求項１】
紙葉類を収納する紙葉類収納カセットであって、
２つの開口が設けられ、内部に紙葉類収納スペースが形成された筐体と、
前記筐体内に設けられ、一方の開口により前記筐体内に取り入れられ前記紙葉類収納スペースを通過した光を他方の開口へ誘導する光誘導手段と、
を備えたことを特徴とする紙葉類収納カセット。
【請求項２】
前記光誘導手段は少なくとも２つ設けられており、一対の光誘導手段が前記紙葉類収納スペースを挟む両側位置にそれぞれ配置されていることを特徴とする請求項１記載の紙葉類収納カセット。
【請求項３】
前記光誘導手段は、前記紙葉類収納スペースの一方の側のみに配置されていることを特徴とする請求項１記載の紙葉類収納カセット。
【請求項４】
紙葉類を収納する紙葉類収納カセットであって、
１つの開口が設けられ、内部に紙葉類収納スペースが形成された筐体と、
前記筐体内に設けられ、前記開口により前記筐体内に取り入れられ前記紙葉類収納スペースを通過した光を当該開口へ誘導する光誘導手段と、
を備えたことを特徴とする紙葉類収納カセット。
【請求項５】
前記光誘導手段は、プリズム、鏡または光ファイバーの少なくとも一つを含むことを特徴とする請求項１乃至４のいずれか一項に記載の紙葉類収納カセット。
【請求項６】
請求項１乃至５のいずれか一項に記載の紙葉類収納カセットが着脱自在に装着されることを特徴とする紙葉類処理装置。
【請求項７】
棒金硬貨を収納する棒金硬貨収納カセットであって、
２つの開口が設けられ、棒金硬貨が所定の位置に収納される棒金硬貨収納スペースが内部に形成された筐体と、
前記筐体内に設けられ、一方の開口により前記筐体内に取り入れられ前記棒金硬貨収納スペースを通過した光を他方の開口へ誘導する光誘導手段と、
を備えたことを特徴とする棒金硬貨収納カセット。
【請求項８】
棒金硬貨を収納する棒金硬貨収納カセットであって、
１つの開口が設けられ、棒金硬貨が所定の位置に収納される棒金硬貨収納スペースが内部に形成された筐体と、
前記筐体内に設けられ、前記開口により前記筐体内に取り入れられ前記棒金硬貨収納スペースを通過した光を当該開口へ誘導する光誘導手段と、
を備えたことを特徴とする棒金硬貨収納カセット。
【請求項９】
前記光誘導手段は、プリズム、鏡または光ファイバーの少なくとも一つを含むことを特徴とする請求項７または８記載の棒金硬貨収納カセット。
【発明の詳細な説明】
【技術分野】
【０００１】
本発明は、紙幣や小切手、商品券等の紙葉類を収納する紙葉類収納カセットおよびこの紙葉類収納カセットが着脱自在に装着される紙葉類処理装置に関する。また、本発明は、棒金硬貨を収納する棒金硬貨収納カセットに関する。
【背景技術】
【０００２】
従来から、紙幣の入金処理や入出金処理等を行う紙幣処理機に、紙幣を収納する紙幣収納カセットが着脱自在に装着されることが知られている（例えば、特許文献１、２等参照）。このような紙幣処理機では、当該紙幣処理機に入金された紙幣が紙幣収納カセットに収納されるようになっている。ここで、紙幣収納カセットが紙幣処理機から取り出されたあと、当該紙幣収納カセットに紙幣が収納されているか否かを検知するにあたり、従来では様々な方法が用いられていた。
【０００３】
具体的には、紙幣収納カセットに紙幣が収納されているか否かを検知するにあたり、例えば、紙幣収納カセットの内部に設けられた紙幣載置ステージの位置を検知したり、このような紙幣載置ステージ上の紙幣を検知レバーで検知したりするような、メカ的な機構を用いる方法が従来から用いられている。しかしながら、このようなメカ的な機構を用いた場合には、例えば紙幣収納カセットに紙幣が１枚または数枚のみしか収納されていないときに、紙幣収納カセットに紙幣が収納されていることをメカ的な機構で検知することができないおそれがある。また、このような方法では、メカ的な機構を用いて紙幣収納カセット内の紙幣を検知しているため、紙幣収納カセットの構成が複雑になってしまうという問題がある。さらに、紙幣収納カセットは持ち運びの際に地面への落下等による衝撃を受けることがあるが、メカ的な機構を用いた場合には当該機構がこのような衝撃により故障してしまうおそれがある。
【０００４】
一方、紙幣収納カセットに紙幣が収納されているか否かを検知するための他の方法として、紙幣収納カセットの筐体に小さな覗き窓を設け、操作者が目視にてこの覗き窓から紙幣収納カセット内に紙幣が存在するか否かを確認する方法がある。しかしながら、このような方法では、覗き窓を介して紙幣収納カセットに収納されている紙幣を操作者が直接見ることができるため、防盗性の面で問題がある。さらには、覗き窓の近くに紙幣収納空間が配置される必要があり、レイアウトに制限があった。
【先行技術文献】
【特許文献】
【０００５】
【特許文献１】特開２００５−０７０８９９号公報
【特許文献２】特開２０１０−０２０３８２号公報
【発明の概要】
【発明が解決しようとする課題】
【０００６】
本発明は、このような点を考慮してなされたものであり、シンプルな構成かつ、紙葉類収納カセット内の紙葉類を直接見ることなく当該紙葉類収納カセットに紙葉類が収納されているか否かを一目で確認することができ、このため耐久性、利便性を有するとともに防盗性に優れた紙葉類収納カセット、およびこの紙葉類収納カセットが着脱自在に装着される紙葉類処理装置を提供することを目的とする。
【０００７】
本発明の他の目的は、シンプルな構成かつ、棒金硬貨収納カセット内の棒金硬貨を直接見ることなく当該棒金硬貨収納カセットに棒金硬貨が収納されているか否かを一目で確認することができ、このため耐久性、利便性を有するとともに防盗性に優れた棒金硬貨収納カセットを提供することにある。
【課題を解決するための手段】
【０００８】
本発明は、紙葉類を収納する紙葉類収納カセットであって、２つの開口が設けられ、内部に紙葉類収納スペースが形成された筐体と、前記筐体内に設けられ、一方の開口により前記筐体内に取り入れられ前記紙葉類収納スペースを通過した光を他方の開口へ誘導する光誘導手段と、を備えたことを特徴とする紙葉類収納カセットである。
【０００９】
このような紙葉類収納カセットによれば、筐体には２つの開口が設けられており、また、筐体内に設けられた光誘導手段により、一方の開口により筐体内に取り入れられ紙葉類収納スペースを通過した光が他方の開口へ誘導されるようになっている。このため、操作者は、他方の開口が明るいか否かを確認することによって、紙葉類収納カセット内に紙葉類が収納されているかを知ることができるようになる。このように、上述のような紙葉類収納カセットによれば、シンプルな構成かつ、紙葉類収納カセット内の紙葉類を直接見ることなく当該紙葉類収納カセットに紙葉類が収納されているか否かを一目で確認することができる。このため、紙葉類収納カセットの耐久性、利便性を向上させることができるとともに良好な防盗性を得ることができる。
【００１０】
本発明の紙葉類収納カセットにおいては、前記光誘導手段は少なくとも２つ設けられており、一対の光誘導手段が前記紙葉類収納スペースを挟む両側位置にそれぞれ配置されていてもよい。
【００１１】
あるいは、前記光誘導手段は、前記紙葉類収納スペースの一方の側のみに配置されていてもよい。
【００１２】
本発明は、紙葉類を収納する紙葉類収納カセットであって、１つの開口が設けられ、内部に紙葉類収納スペースが形成された筐体と、前記筐体内に設けられ、前記開口により前記筐体内に取り入れられ前記紙葉類収納スペースを通過した光を当該開口へ誘導する光誘導手段と、を備えたことを特徴とする紙葉類収納カセットである。
【００１３】
このような紙葉類収納カセットによれば、筐体には１つの開口が設けられており、また、筐体内に設けられた光誘導手段により、当該開口により筐体内に取り入れられ紙葉類収納スペースを通過した光がこの開口へ誘導されるようになっている。このため、操作者は、この開口が明るいか否かを確認することによって、紙葉類収納カセット内に紙葉類が収納されているかを知ることができるようになる。このように、上述のような紙葉類収納カセットによれば、シンプルな構成かつ、紙葉類収納カセット内の紙葉類を直接見ることなく当該紙葉類収納カセットに紙葉類が収納されているか否かを一目で確認することができる。このため、紙葉類収納カセットの耐久性、利便性を向上させることができるとともに良好な防盗性を得ることができる。
【００１４】
本発明の紙葉類収納カセットにおいては、前記光誘導手段は、プリズム、鏡または光ファイバーの少なくとも一つを含むようになっていてもよい。
【００１５】
本発明は、上述のような紙葉類収納カセットが着脱自在に装着されることを特徴とする紙葉類処理装置である。
【００１６】
本発明は、棒金硬貨を収納する棒金硬貨収納カセットであって、２つの開口が設けられ、棒金硬貨が所定の位置に収納される棒金硬貨収納スペースが内部に形成された筐体と、前記筐体内に設けられ、一方の開口により前記筐体内に取り入れられ前記棒金硬貨収納スペースを通過した光を他方の開口へ誘導する光誘導手段と、を備えたことを特徴とする棒金硬貨収納カセットである。
【００１７】
このような棒金硬貨収納カセットによれば、筐体には２つの開口が設けられており、また、筐体内に設けられた光誘導手段により、一方の開口により筐体内に取り入れられ棒金硬貨収納スペースを通過した光が他方の開口へ誘導されるようになっている。このため、操作者は、他方の開口が明るいか否かを確認することによって、棒金硬貨収納カセット内に棒金硬貨が収納されているかを知ることができるようになる。このように、上述のような棒金硬貨収納カセットによれば、シンプルな構成かつ、棒金硬貨収納カセット内の棒金硬貨を直接見ることなく当該棒金硬貨収納カセットに棒金硬貨が収納されているか否かを一目で確認することができる。このため、棒金硬貨収納カセットの耐久性、利便性を向上させることができるとともに良好な防盗性を得ることができる。
【００１８】
本発明は、棒金硬貨を収納する棒金硬貨収納カセットであって、１つの開口が設けられ、棒金硬貨が所定の位置に収納される棒金硬貨収納スペースが内部に形成された筐体と、前記筐体内に設けられ、前記開口により前記筐体内に取り入れられ前記棒金硬貨収納スペースを通過した光を当該開口へ誘導する光誘導手段と、を備えたことを特徴とする棒金硬貨収納カセットである。
【００１９】
このような棒金硬貨収納カセットによれば、筐体には１つの開口が設けられており、また、筐体内に設けられた光誘導手段により、当該開口により筐体内に取り入れられ棒金硬貨収納スペースを通過した光がこの開口へ誘導されるようになっている。このため、操作者は、この開口が明るいか否かを確認することによって、棒金硬貨収納カセット内に棒金硬貨が収納されているかを知ることができるようになる。このように、上述のような棒金硬貨収納カセットによれば、シンプルな構成かつ、棒金硬貨収納カセット内の棒金硬貨を直接見ることなく当該棒金硬貨収納カセットに棒金硬貨が収納されているか否かを一目で確認することができる。このため、棒金硬貨収納カセットの耐久性、利便性を向上させることができるとともに良好な防盗性を得ることができる。
【００２０】
本発明の棒金硬貨収納カセットにおいては、前記光誘導手段は、プリズム、鏡または光ファイバーの少なくとも一つを含むようになっていてもよい。
【発明の効果】
【００２１】
本発明の紙葉類収納カセットおよび紙葉類処理装置によれば、シンプルな構成かつ、紙葉類収納カセット内の紙葉類を直接見ることなく当該紙葉類収納カセットに紙葉類が収納されているか否かを一目で確認することができ、このため耐久性、利便性を向上させることができるとともに良好な防盗性を得ることができる。
【００２２】
本発明の棒金硬貨収納カセットによれば、シンプルな構成かつ、棒金硬貨収納カセット内の棒金硬貨を直接見ることなく当該棒金硬貨収納カセットに棒金硬貨が収納されているか否かを一目で確認することができ、このため耐久性、利便性を向上させることができるとともに良好な防盗性を得ることができる。
【図面の簡単な説明】
【００２３】
【図１】本発明の実施の形態による紙幣釣銭機の外観を示す斜視図である。
【図２】図１に示す紙幣釣銭機の構成の概略を示す概略構成図である。
【図３】図１および図２に示す紙幣釣銭機に着脱自在に装着される紙幣収納カセットの構成を示す縦断面図である。
【図４】図３に示す紙幣収納カセットの正面図であって、紙幣が内部に収納されていないときの状態を示す図である。
【図５】図３に示す紙幣収納カセットの正面図であって、紙幣が内部に収納されているときの状態を示す図である。
【図６】紙幣収納カセットの他の構成の例を示す縦断面図である。
【図７】紙幣収納カセットの更に他の構成の例を示す縦断面図である。
【図８】紙幣収納カセットの更に他の構成の例を示す縦断面図である。
【図９】紙幣収納カセットの更に他の構成の例を示す縦断面図である。
【図１０】紙幣収納カセットの更に他の構成の例を示す縦断面図である。
【図１１】本発明の実施の形態による貨幣入出金機の外観を示す斜視図である。
【図１２】図１１に示す貨幣入出金機において、紙幣収納カセットおよび硬貨収納カセットが貨幣収納部から取り出されたときの状態を示す斜視図である。
【図１３】本発明における棒金硬貨収納カセットの構成を示す縦断面図である。
【図１４】本発明における棒金硬貨収納カセットの他の構成を示す縦断面図である。
【発明を実施するための形態】
【００２４】
以下、図面を参照して本発明の実施の形態について説明する。図１乃至図５は、本実施の形態に係る紙幣収納カセットおよびこの紙幣収納カセットが着脱自在に装着される紙幣釣銭機を示す図である。このうち、図１は、本実施の形態による紙幣釣銭機の外観を示す斜視図であり、図２は、図１に示す紙幣釣銭機の構成の概略を示す概略構成図である。また、図３は、図１および図２に示す紙幣釣銭機に着脱自在に装着される紙幣収納カセットの構成を示す縦断面図であり、図４および図５は、図３に示す紙幣収納カセットの正面図である。
【００２５】
まず、紙幣釣銭機の全体構成について図１および図２を用いて説明する。図１および図２に示すように、紙幣釣銭機１０は、筐体１０ａと、この筐体１０ａ内の略中央部に設けられた環状の周回搬送部１３ａとを備えている。また、紙幣受入部２４、３つの紙幣収納部１６、紙幣払出部２６、出金リジェクト部１４、および紙幣収納カセット（紙幣回収カセット）３０が、周回搬送部１３ａの外周を取り囲むように配置されている。
【００２６】
また、紙幣釣銭機１０の筐体１０ａの内部には、紙幣受入部２４、各紙幣収納部１６、紙幣払出部２６、出金リジェクト部１４、および紙幣収納カセット３０と、周回搬送部１３ａとの間をそれぞれ接続する複数の接続搬送部１３ｂが形成されている。また、周回搬送部１３ａには紙幣識別部１１が設けられており、この紙幣識別部１１は、当該紙幣識別部１１を通過する紙幣の識別を行うようになっている。
【００２７】
また、周回搬送部１３ａと各接続搬送部１３ｂとの間で紙幣の搬送経路を切り換える経路切換部（図示せず）が、周回搬送部１３ａに沿って配置されている。
【００２８】
図１および図２に示すように、筐体１０ａの前面には、紙幣受入部２４の紙幣受入口２４ａと、紙幣払出部２６の紙幣取出口２６ａとがそれぞれ設けられている。また、紙幣収納カセット３０は筐体１０ａに対して着脱自在に取り付けられている。
【００２９】
紙幣受入部２４は、紙幣受入口２４ａに挿入された入金紙幣を１枚ずつ取り込んで、周回搬送部１３ａ側へ繰り出すようになっている。各紙幣収納部１６は、紙幣識別部１１の識別結果に基づいて紙幣を金種別に収納する。紙幣払出部２６は、各紙幣収納部１６から周回搬送部１３ａに繰り出された紙幣を紙幣取出口２６ａより機外へ放出するようになっている。
【００３０】
出金リジェクト部１４は、紙幣収納部１６から繰り出された紙幣のうち、斜行等により紙幣識別部１１で識別することができない紙幣を出金リジェクト紙幣として収納する。また、紙幣受入部２４から機内に取り込まれた紙幣のうち、汚損等により紙幣識別部１１で識別することができない紙幣は入金リジェクト紙幣として紙幣払出部２６に返却されるようになっている。
【００３１】
また、紙幣釣銭機１０の筐体１０ａの前面下部には鍵穴２８が設けられている。操作者が鍵をこの鍵穴２８に差し込んで回すことにより、鍵をメンテナンス位置、通常運用位置および管理位置からなる３つの位置のうちいずれかに位置させることができるようになっている。そして、鍵をメンテナンス位置に位置させたときには、紙幣収納カセット３０を紙幣釣銭機１０から手前側に引き出すことができるようになる。
【００３２】
次に、紙幣収納カセット３０の構成の詳細について図３乃至図５を用いて説明する。
【００３３】
紙幣収納カセット３０は、略直方体形状の筐体３０ａを備えており、この筐体３０ａの内部には、紙幣が収納される紙幣収納スペース３７が形成されている。図３において、左側が筐体３０ａの前面側であり、右側が筐体３０ａの背面側となっている。図３乃至図５に示すように、筐体３０ａの前面には、上下方向に並ぶよう２つの開口３１ａ、３１ｂが形成されている。また、筐体３０ａの背面には、紙幣を筐体３０ａの外部から内部に投入したり筐体３０ａの内部から外部に投出したりするための開口３１ｃが形成されている。また、筐体３０ａの前面には鍵穴３６が設けられている。紙幣収納カセット３０が紙幣釣銭機１０から取り出された後、操作者が鍵をこの鍵穴３６に差し込んで回すことにより、紙幣収納カセット３０の蓋（図示せず）が開放され、紙幣収納カセット３０内から収納紙幣を取り出すことができるようになる。
【００３４】
図３に示すように、筐体３０ａ内における紙幣収納スペース３７には、複数の紙幣が積層状態で載置される紙幣載置ステージ３８が設けられている。開口３１ｃを介して筐体３０ａの外部から内部に投入された紙幣は、この紙幣載置ステージ３８上に積層状態で載置されるようになっている。図３において、紙幣載置ステージ３８上に載置された紙幣を参照符号Ｐで示す。また、紙幣載置ステージ３８は図３の矢印に示すように昇降方向に移動自在となっている。
【００３５】
また、開口３１ｃの近傍には、紙幣載置ステージ３８上の紙幣を筐体３０ａの内部から外部に投出するための紙幣繰出機構３９が設けられている。紙幣繰出機構３９は、複数のローラおよび各ローラに張架されたベルトから構成されている。そして、筐体３０ａ内の紙幣を外部に投出する際には、紙幣載置ステージ３８が上方に移動し、当該紙幣載置ステージ３８上の紙幣が紙幣繰出機構３９により図３における右方向に繰り出されるようになっている。なお、紙幣繰出機構３９は、紙幣収納カセット３０が紙幣釣銭機１０の筐体１０ａに装着されているときに、紙幣釣銭機１０の本体側から動力が伝達されることにより駆動されるようになっている。
【００３６】
また、図３に示すように、筐体３０ａ内において、開口３１ａ、３１ｂにそれぞれ対応して第１のプリズム３４および第２のプリズム３５が紙幣収納カセット３０の長手方向（図３における左右方向）に延びるよう設けられている。ここで、第１のプリズム３４の前面側（図３における左側）の端部は開口３１ａを貫通するようになっており、また、第２のプリズム３５の前面側の端部は開口３１ｂを貫通するようになっている。また、第１のプリズム３４の前面側の端部の表面はすりガラス状となっている。
【００３７】
また、第１のプリズム３４および第２のプリズム３５は、紙幣収納スペース３７を挟む両側位置にそれぞれ配置されている。具体的には、第１のプリズム３４から光が放出される光放出箇所および第２のプリズム３５に光が取り込まれる光取込箇所は、紙幣収納スペース３７を上下方向から挟むような位置にそれぞれ配置されている。そして、紙幣収納スペース３７に紙幣が存在しないときには、すなわち紙幣載置ステージ３８上に紙幣が載置されていないときには、開口３１ａを介して筐体３０ａの外部から内部に取り入れられた光は、第１のプリズム３４により図３における鉛直方向下方に向かうよう誘導され、紙幣収納スペース３７を通過した後、第２のプリズム３５により図３における左方に向かうよう誘導され、開口３１ｂを介して筐体３０ａの外部に出されるようになる。図３において、光の経路を二点鎖線で示す。なお、紙幣載置ステージ３８は、第１のプリズム３４により図３における鉛直方向下方に向かうよう誘導された光を第２のプリズム３５に送るよう、透明または半透明の部材から形成されているか、または、この光が通過するような貫通穴（図示せず）が紙幣載置ステージ３８に形成されている。ここで、第１のプリズム３４の前面側の端部の表面がすりガラス状となっていることにより、筐体３０ａの外部の光が乱反射して第１のプリズム３４に入るようになるため、筐体３０ａの外部における様々な向きの光を効率的に筐体３０ａ内に取り込むことができるようになる。
【００３８】
紙幣載置ステージ３８上に紙幣が載置されていないときには、前述のように、開口３１ａを介して筐体３０ａの外部から内部に取り入れられた光は、第１のプリズム３４により図３における鉛直方向下方に向かうよう誘導され、紙幣収納スペース３７を通過した後、第２のプリズム３５により図３における左方に向かうよう誘導され、開口３１ｂを介して筐体３０ａの外部に出されるようになる。このため、図４に示すように、筐体３０ａを前面から見て開口３１ｂは明るく見えるようになる。一方、紙幣載置ステージ３８上に紙幣が１枚でも載置されているときには、開口３１ａを介して筐体３０ａの外部から内部に取り入れられた光は、第１のプリズム３４により図３における鉛直方向下方に向かうよう誘導された後、紙幣載置ステージ３８上の紙幣により遮られるため、この光は開口３１ｂを介して筐体３０ａの外部に出されることはない。このため、図５に示すように、筐体３０ａを前面から見て開口３１ｂは暗く見えるようになる。このように、操作者は、開口３１ｂが明るいか否かを確認することによって、紙幣収納カセット３０内に紙幣が収納されているかを知ることができるようになる。そして、紙幣が収納されている紙幣収納カセット３０だけ、鍵穴３６に鍵を差して操作して扉（図示せず）を開放し、収納紙幣を取り出せば、紙幣の回収処理を効率良く行うことができる。
【００３９】
以上のように本実施の形態の紙幣収納カセット３０によれば、筐体３０ａには２つの開口３１ａ、３１ｂが設けられており、また、筐体３０ａ内に設けられた第１のプリズム３４および第２のプリズム３５により、一方の開口３１ａにより筐体３０ａ内に取り入れられ紙幣収納スペース３７を通過した光が他方の開口３１ｂへ誘導されるようになっている。このため、操作者は、他方の開口３１ｂが明るいか否かを確認することによって、紙幣収納カセット３０内に紙幣が収納されているかを知ることができるようになる。このように、上述のような紙幣収納カセット３０によれば、シンプルな構成かつ、紙幣収納カセット３０内の紙幣を直接見ることなく当該紙幣収納カセット３０に紙幣が収納されているか否かを一目で確認することができる。このため、紙幣収納カセット３０の耐久性、利便性を向上させることができるとともに良好な防盗性を得ることができる。
【００４０】
とりわけ、複数の紙幣釣銭機１０が店舗に設置されているときには、操作者は複数の紙幣収納カセット３０を取り扱うようになり、操作者が各紙幣釣銭機１０に対して紙幣収納カセット３０の出し入れをする際に、操作者が持つカゴ等の中に複数の紙幣収納カセット３０が収容されるようになる。この場合でも、操作者は、各紙幣収納カセット３０の開口３１ｂを見るだけで、どの紙幣収納カセット３０に紙幣が既に入っており、どの紙幣収納カセット３０が空であるかを即座に認識することができるようになる。また、電源を必要としないため、紙幣収納カセット３０内に配線類を設置する必要がない上、紙幣釣銭機１０から取り外した状態で収納紙幣の有無を確認できる。
【００４１】
なお、本実施の形態による紙幣収納カセット３０は、上記の態様に限定されるものではなく、様々の変更を加えることができる。
【００４２】
例えば、図３に示す例では、筐体３０ａ内で光を誘導するための光誘導手段として第１のプリズム３４および第２のプリズム３５を用いていたが、光誘導手段としてプリズム以外のものを用いてもよい。例えば、図６に示すように、光誘導手段として、第１のプリズム３４および第２のプリズム３５を用いる代わりに、第１の鏡４０および第２の鏡４１を用いるようにしてもよい。
【００４３】
図６に示す紙幣収納カセット３０では、筐体３０ａの前面に設けられた２つの開口３１ａ、３１ｂのうち、一方の開口３１ａには、外面がすりガラス状となっているような第１の透明部材３２が設けられており、この第１の透明部材３２により筐体３０ａの内部と外部とが区切られている。また、他方の開口３１ｂには第２の透明部材３３が設けられており、この第２の透明部材３３により筐体３０ａの内部と外部とが区切られている。第１の透明部材３２や第２の透明部材３３が各開口３１ａ、３１ｂに設けられていることにより、これらの開口３１ａ、３１ｂを介して筐体３０ａの外部から内部にアクセスすることができないようになっている。これらの第１の透明部材３２や第２の透明部材３３は、ガラス、プラスチック等から構成されている。また、第１の透明部材３２や第２の透明部材３３の代わりに、半透明の部材を各開口３１ａ、３１ｂに設けてもよい。
【００４４】
また、図６に示す紙幣収納カセット３０では、筐体３０ａの内部において、開口３１ａに設けられた第１の透明部材３２に対応するよう第１の鏡４０が第１の透明部材３２から離間して設けられており、また、開口３１ｂに設けられた第２の透明部材３３に対応するよう第２の鏡４１が第２の透明部材３３から離間して設けられている。ここで、第１の鏡４０および第２の鏡４１は、紙幣収納スペース３７を挟む両側位置にそれぞれ配置されている。具体的には、第１の鏡４０および第２の鏡４１は、紙幣収納スペース３７を上下方向から挟むような位置にそれぞれ配置されている。そして、紙幣収納スペース３７に紙幣が存在しないときには、すなわち紙幣載置ステージ３８上に紙幣が載置されていないときには、開口３１ａを介して筐体３０ａの外部から内部に取り入れられた光は、第１の鏡４０により反射して図６における鉛直方向下方に向かうようになり、紙幣収納スペース３７を通過した後、第２の鏡４１により更に反射して図６における左方に向かい、開口３１ｂを介して筐体３０ａの外部に出されるようになる。図６において、光の経路を二点鎖線で示す。
【００４５】
このように、紙幣載置ステージ３８上に紙幣が載置されていないときには、前述のように、開口３１ａを介して筐体３０ａの外部から内部に取り入れられた光は、開口３１ｂを介して筐体３０ａの外部に出されるようになる。このため、図４に示すように、筐体３０ａを前面から見て開口３１ｂは明るく見えるようになる。一方、紙幣載置ステージ３８上に紙幣が載置されているときには、開口３１ａを介して筐体３０ａの外部から内部に取り入れられた光は、第１の鏡４０により反射して図６における鉛直方向下方に向かうようになった後、紙幣載置ステージ３８上の紙幣により遮られるため、この光は開口３１ｂを介して筐体３０ａの外部に出されることはない。このため、図５に示すように、筐体３０ａを前面から見て開口３１ｂは暗く見えるようになる。このように、光誘導手段として一対の鏡４０、４１を用いた場合でも、プリズム３４、３５が筐体３０ａ内に設置された場合と同様に、操作者は、開口３１ｂが明るいか否かを確認することによって、紙幣収納カセット３０内に紙幣が収納されているかを知ることができるようになる。
【００４６】
また、筐体３０ａ内で光を誘導するための光誘導手段として、プリズムや鏡の代わりに、光ファイバーを用いてもよい。図７に、光誘導手段として第１の光ファイバー４２および第２の光ファイバー４３を用いた場合の例を示す。
【００４７】
図７に示す紙幣収納カセット３０では、筐体３０ａの前面に設けられた２つの開口３１ａ、３１ｂのうち、一方の開口３１ａには、外面がすりガラス状となっているような第１の透明部材３２が設けられており、この第１の透明部材３２により筐体３０ａの内部と外部とが区切られている。また、他方の開口３１ｂには第２の透明部材３３が設けられており、この第２の透明部材３３により筐体３０ａの内部と外部とが区切られている。第１の透明部材３２や第２の透明部材３３が各開口３１ａ、３１ｂに設けられていることにより、これらの開口３１ａ、３１ｂを介して筐体３０ａの外部から内部にアクセスすることができないようになっている。これらの第１の透明部材３２や第２の透明部材３３は、ガラス、プラスチック等から構成されている。また、第１の透明部材３２や第２の透明部材３３の代わりに、半透明の部材を各開口３１ａ、３１ｂに設けてもよい。
【００４８】
また、図７に示す紙幣収納カセット３０では、筐体３０ａの内部において、開口３１ａに設けられた第１の透明部材３２には第１の光ファイバー４２が隣接するよう設けられており、また、開口３１ｂに設けられた第２の透明部材３３には第２の光ファイバー４３が隣接するよう設けられている。ここで、第１の光ファイバー４２および第２の光ファイバー４３は、紙幣収納スペース３７を挟む両側位置にそれぞれ配置されている。具体的には、第１の光ファイバー４２から光が放出される光放出箇所および第２の光ファイバー４３に光が取り込まれる光取込箇所は、紙幣収納スペース３７を上下方向から挟むような位置にそれぞれ配置されている。そして、紙幣収納スペース３７に紙幣が存在しないときには、すなわち紙幣載置ステージ３８上に紙幣が載置されていないときには、開口３１ａを介して筐体３０ａの外部から内部に取り入れられた光は、第１の光ファイバー４２により図７における鉛直方向下方に向かうよう誘導され、紙幣収納スペース３７を通過した後、第２の光ファイバー４３により図７における左方に向かうよう誘導され、開口３１ｂを介して筐体３０ａの外部に出されるようになる。図７において、光の経路を二点鎖線で示す。
【００４９】
このように、紙幣載置ステージ３８上に紙幣が載置されていないときには、前述のように、開口３１ａを介して筐体３０ａの外部から内部に取り入れられた光は、開口３１ｂを介して筐体３０ａの外部に出されるようになる。このため、図４に示すように、筐体３０ａを前面から見て開口３１ｂは明るく見えるようになる。一方、紙幣載置ステージ３８上に紙幣が載置されているときには、開口３１ａを介して筐体３０ａの外部から内部に取り入れられた光は、第１の光ファイバー４２により誘導されて図７における鉛直方向下方に向かうようになった後、紙幣載置ステージ３８上の紙幣により遮られるため、この光は開口３１ｂを介して筐体３０ａの外部に出されることはない。このため、図５に示すように、筐体３０ａを前面から見て開口３１ｂは暗く見えるようになる。このように、光誘導手段として一対の光ファイバー４２、４３を用いた場合でも、プリズム３４、３５が筐体３０ａ内に設置された場合と同様に、操作者は、開口３１ｂが明るいか否かを確認することによって、紙幣収納カセット３０内に紙幣が収納されているかを知ることができるようになる。
【００５０】
また、更に他の変形例として、プリズム等の一対の光誘導手段が紙幣収納スペースを挟む両側位置にそれぞれ配置される代わりに、１つの光誘導手段が紙幣収納スペースの一方の側のみに配置されていてもよい。図８に、１つの光誘導手段が紙幣収納スペースの一方の側のみに配置されているような例を示す。
【００５１】
図８に示す紙幣収納カセット５０は、略直方体形状の筐体５０ａを備えており、この筐体５０ａの内部には、紙幣が収納される紙幣収納スペース５７が形成されている。図８において、左側が筐体５０ａの前面側であり、右側が筐体５０ａの背面側となっている。図８に示すように、筐体５０ａの上面および前面に、それぞれ開口５１ａ、５１ｂが形成されている。また、筐体５０ａの背面には、紙幣を筐体５０ａの外部から内部に投入したり筐体５０ａの内部から外部に投出したりするための開口５１ｃが形成されている。
【００５２】
図８に示すように、筐体５０ａ内における紙幣収納スペース５７には、複数の紙幣が積層状態で載置される紙幣載置ステージ５８が設けられている。また、開口５１ｃの近傍には、紙幣載置ステージ５８上の紙幣を筐体５０ａの内部から外部に投出するための紙幣繰出機構５９が設けられている。図８に示す紙幣載置ステージ５８や紙幣繰出機構５９は、図３等に示す紙幣載置ステージ３８や紙幣繰出機構３９と構成および機能が同じであるため、その説明を省略する。
【００５３】
図８に示す紙幣収納カセット５０においては、筐体５０ａ内において、開口５１ｂに対応してプリズム５５が紙幣収納カセット５０の長手方向（図８における左右方向）に延びるよう設けられている。ここで、プリズム５５の前面側（図８における左側）の端部は開口５１ｂを貫通するようになっている。また、筐体５０ａの上面に形成された開口５１ａには、外面がすりガラス状となっているような透明部材５２が設けられており、この透明部材５２により筐体５０ａの内部と外部とが区切られている。透明部材５２は、ガラス、プラスチック等から構成されている。また、透明部材５２の代わりに、半透明の部材を開口５１ａに設けてもよい。なお、開口５１ａにはプリズム等の光誘導手段は設けられていない。そして、紙幣収納スペース５７に紙幣が存在しないときには、すなわち紙幣載置ステージ５８上に紙幣が載置されていないときには、開口５１ａを介して筐体５０ａの外部から内部に取り入れられた光は、紙幣収納スペース５７を通過した後、プリズム５５により図８における左方に向かうよう誘導され、開口５１ｂを介して筐体５０ａの外部に出されるようになる。図８において、光の経路を二点鎖線で示す。
【００５４】
このように、紙幣載置ステージ５８上に紙幣が載置されていないときには、前述のように、開口５１ａを介して筐体５０ａの外部から内部に取り入れられた光は、開口５１ｂを介して筐体５０ａの外部に出されるようになる。このため、筐体５０ａを前面から見て開口５１ｂは明るく見えるようになる。一方、紙幣載置ステージ５８上に紙幣が載置されているときには、開口５１ａを介して筐体５０ａの外部から内部に取り入れられた光は、紙幣載置ステージ５８上の紙幣により遮られるため、この光は開口５１ｂを介して筐体５０ａの外部に出されることはない。このため、筐体５０ａを前面から見て開口５１ｂは暗く見えるようになる。このように、プリズム５５等の光誘導手段を紙幣収納スペース５７の一方の側のみに配置した場合でも、図３に示すようにプリズム３４、３５等の一対の光誘導手段を紙幣収納スペース５７の両側位置にそれぞれ配置した場合と同様に、操作者は、開口５１ｂが明るいか否かを確認することによって、紙幣収納カセット５０内に紙幣が収納されているかを知ることができるようになる。
【００５５】
また、更に他の変形例として、紙幣収納カセットの筐体の前面に開口を設けることなく、筐体の上面や側面に２つの開口を設けるようにしてもよい。図９に、紙幣収納カセットの筐体の上面に２つの開口が設けられているような例を示す。
【００５６】
図９に示す紙幣収納カセット６０は、略直方体形状の筐体６０ａを備えており、この筐体６０ａの内部には、紙幣が収納される紙幣収納スペース６７が形成されている。図９において、左側が筐体６０ａの前面側であり、右側が筐体６０ａの背面側となっている。図９に示すように、筐体６０ａの上面に２つの開口６１ａ、６１ｂが形成されている。また、筐体６０ａの背面には、紙幣を筐体６０ａの外部から内部に投入したり筐体６０ａの内部から外部に投出したりするための開口６１ｃが形成されている。
【００５７】
図９に示すように、筐体６０ａ内における紙幣収納スペース６７には、複数の紙幣が積層状態で載置される紙幣載置ステージ６８が設けられている。また、開口６１ｃの近傍には、紙幣載置ステージ６８上の紙幣を筐体６０ａの内部から外部に投出するための紙幣繰出機構６９が設けられている。図９に示す紙幣載置ステージ６８や紙幣繰出機構６９は、図３等に示す紙幣載置ステージ３８や紙幣繰出機構３９と構成および機能が同じであるため、その説明を省略する。
【００５８】
図９に示す紙幣収納カセット６０においては、筐体６０ａ内において、開口６１ａ、６１ｂにそれぞれ対応して第１のプリズム６４および第２のプリズム６５が設けられている。ここで、第１のプリズム６４の上端側（図９における上側）の端部は開口６１ａを貫通するようになっており、また、第２のプリズム６５の上端側の端部は開口６１ｂを貫通するようになっている。また、第１のプリズム６４の上端側の端部の表面はすりガラス状となっている。
【００５９】
また、図９に示すように、第１のプリズム６４および第２のプリズム６５の下端側の端部は、紙幣収納スペース６７を挟む両側位置にそれぞれ配置されている。具体的には、第１のプリズム６４から光が放出される光放出箇所および第２のプリズム６５に光が取り込まれる光取込箇所は、紙幣収納スペース６７を上下方向から挟むような位置にそれぞれ配置されている。そして、紙幣収納スペース６７に紙幣が存在しないときには、すなわち紙幣載置ステージ６８上に紙幣が載置されていないときには、開口６１ａを介して筐体６０ａの外部から内部に取り入れられた光は、第１のプリズム６４により図９における鉛直方向下方に向かうよう誘導され、紙幣収納スペース６７を通過した後、第２のプリズム６５により図９における左方に向かった後に上方に向かうよう誘導され、開口６１ｂを介して筐体６０ａの外部に出されるようになる。図９において、光の経路を二点鎖線で示す。
【００６０】
このように、紙幣載置ステージ６８上に紙幣が載置されていないときには、前述のように、開口６１ａを介して筐体６０ａの外部から内部に取り入れられた光は、開口６１ｂを介して筐体６０ａの外部に出されるようになる。このため、筐体６０ａを上面から見て開口６１ｂは明るく見えるようになる。一方、紙幣載置ステージ６８上に紙幣が載置されているときには、開口６１ａを介して筐体６０ａの外部から内部に取り入れられた光は、第１のプリズム６４により図９における鉛直方向下方に向かうよう誘導された後、紙幣載置ステージ６８上の紙幣により遮られるため、この光は開口６１ｂを介して筐体６０ａの外部に出されることはない。このため、筐体６０ａを上面から見て開口６１ｂは暗く見えるようになる。このように、紙幣収納カセット６０の筐体６０ａの上面に２つの開口６１ａ、６１ｂを設けた場合でも、図３に示すように紙幣収納カセット３０の筐体３０ａの前面に開口３１ａ、３１ｂを設けた場合と同様に、操作者は、筐体６０ａの上面に設けられた開口６１ｂが明るいか否かを確認することによって、紙幣収納カセット６０内に紙幣が収納されているかを知ることができるようになる。
【００６１】
また、更に他の変形例として、光が通過するための２つの開口を紙幣収納カセットの筐体に設ける代わりに、光が通過するための開口を１つだけ筐体に設けるようにしてもよい。図１０に、光が通過するための開口が１つだけ筐体に設けられているような例を示す。
【００６２】
図１０に示す紙幣収納カセット７０は、略直方体形状の筐体７０ａを備えており、この筐体７０ａの内部には、紙幣が収納される紙幣収納スペース７７が形成されている。図１０において、左側が筐体７０ａの前面側であり、右側が筐体７０ａの背面側となっている。図１０に示すように、筐体７０ａの前面に１つの開口７１ａが形成されている。また、筐体７０ａの背面には、紙幣を筐体７０ａの外部から内部に投入したり筐体７０ａの内部から外部に投出したりするための開口７１ｃが形成されている。
【００６３】
図１０に示すように、筐体７０ａ内における紙幣収納スペース７７には、複数の紙幣が積層状態で載置される紙幣載置ステージ７８が設けられている。また、開口７１ｃの近傍には、紙幣載置ステージ７８上の紙幣を筐体７０ａの内部から外部に投出するための紙幣繰出機構７９が設けられている。図１０に示す紙幣載置ステージ７８や紙幣繰出機構７９は、図３等に示す紙幣載置ステージ３８や紙幣繰出機構３９と構成および機能が同じであるため、その説明を省略する。
【００６４】
図１０に示す紙幣収納カセット７０においては、筐体７０ａ内において、開口７１ａに対応してプリズム７４が紙幣収納カセット７０の長手方向（図１０における左右方向）に延びるよう設けられている。ここで、プリズム７４の前面側（図１０における左側）の端部は開口７１ａを貫通するようになっている。また、プリズム７４の前面側の端部の表面はすりガラス状となっている。
【００６５】
また、筐体７０ａの上部の内壁には、プリズム７４に対向するよう鏡７５が設けられている。ここで、プリズム７４および鏡７５は、紙幣収納スペース７７を挟む両側位置にそれぞれ配置されている。具体的には、プリズム７４から光が放出される光放出箇所（兼、光を取り込む光取込箇所）および鏡７５は、紙幣収納スペース７７を上下方向から挟むような位置にそれぞれ配置されている。そして、紙幣収納スペース７７に紙幣が存在しないときには、すなわち紙幣載置ステージ７８上に紙幣が載置されていないときには、開口７１ａを介して筐体７０ａの外部から内部に取り入れられた光は、プリズム７４により図１０における鉛直方向上方に向かうよう誘導され、紙幣収納スペース７７を通過した後、鏡７５により反射して図１０における鉛直方向下方に向かうようになり、その後、プリズム７４により図１０における左方に向かうよう誘導され、開口７１ａを介して筐体７０ａの外部に出されるようになる。図１０において、光の経路を二点鎖線で示す。
【００６６】
このように、紙幣載置ステージ７８上に紙幣が載置されていないときには、前述のように、開口７１ａを介して筐体７０ａの外部から内部に取り入れられた光は、当該開口７１ａを介して筐体７０ａの外部に出されるようになる。このため、筐体７０ａを前面から見て開口７１ａは明るく見えるようになる。一方、紙幣載置ステージ７８上に紙幣が載置されているときには、開口７１ａを介して筐体７０ａの外部から内部に取り入れられた光は、プリズム７４により図１０における鉛直方向上方に向かうよう誘導された後、紙幣載置ステージ７８上の紙幣により遮られるため、この光は開口７１ａを介して筐体７０ａの外部に出されることはない。このため、筐体７０ａを前面から見て開口７１ａは暗く見えるようになる。このように、光が通過するための開口７１ａを１つだけ筐体７０ａに設ける場合でも、図３に示すように光が通過するための２つの開口３１ａ、３１ｂを紙幣収納カセット３０の筐体３０ａに設けた場合と同様に、操作者は、筐体７０ａの前面に設けられた開口７１ａが明るいか否かを確認することによって、紙幣収納カセット７０内に紙幣が収納されているかを知ることができるようになる。さらに、この変形例では、開口が一箇所であるため、レイアウト面での自由度が大きいという利点がある。
【００６７】
また、本実施の形態による紙幣収納カセットが着脱自在に装着される紙幣処理装置は、図１および図２に示すような紙幣釣銭機に限定されることはない。本実施の形態による紙幣収納カセットが着脱自在に装着される装置として、図１１および図１２に示すような貨幣入出金機１１０を用いてもよい。以下、図１１および図１２に示す貨幣入出金機１１０の構成について簡単に説明する。
【００６８】
図１１および図１２に示すように、貨幣入出金機１１０は略直方体形状の筐体１１１を備えており、この筐体１１１には、貨幣入出金機１１０を前方から見て上部右側に配置された紙幣処理装置１２０と、貨幣入出金機１１０を前方から見て上部左側に配置された硬貨処理装置１３０とがそれぞれ設けられている。また、貨幣入出金機１１０の筐体１１１において、紙幣処理装置１２０および硬貨処理装置１３０の下方には、硬貨および紙幣の収納を行う貨幣収納部１４０が設けられている。
【００６９】
まず、紙幣処理装置１２０の構成について以下に説明する。図１１および図１２に示すように、紙幣処理装置１２０は、当該紙幣処理装置１２０内への紙幣の取り込みを行う紙幣投入口１２１と、紙幣処理装置１２０内に取り込まれた紙幣のうち偽札や識別不能な紙幣等のリジェクトを行う紙幣リジェクト口１２２と、紙幣処理装置１２０内に取り込まれた紙幣のうち貨幣収納部１４０に収納されない紙幣を紙幣処理装置１２０の外部に返却する紙幣返却口１２３とを備えている。また、紙幣処理装置１２０の内部には、紙幣投入口１２１に投入された紙幣を紙幣処理装置１２０内で搬送する搬送部（図示せず）が設けられている。紙幣投入口１２１は、操作者により１または束状態の複数の紙幣が短手方向に一括して投入されるよう構成されている。また、この紙幣投入口１２１には紙幣ステージ１２８が配設されている。紙幣ステージ１２８は、待機時には上昇位置にありこの際には操作者は紙幣投入口１２１に紙幣を投入することができず、一方、紙幣の入金処理時には下降して操作者が紙幣投入口１２１に紙幣を投入することができるように構成されている。また、紙幣返却口１２３には開閉可能な扉１２４が設けられている。紙幣処理装置１２０の外部に紙幣を返却する場合には、扉１２４が開いて、操作者は紙幣返却口１２３から紙幣を取り出すことができるようになっている。
【００７０】
次に、硬貨処理装置１３０の構成について以下に説明する。図１１および図１２に示すように、硬貨処理装置１３０は、当該硬貨処理装置１３０内への硬貨の取り込みを行う硬貨投入口１３１と、硬貨処理装置１３０内に取り込まれた硬貨のうち識別部（図示せず）により識別不能な硬貨等のリジェクトを行ったり、硬貨処理装置１３０内に取り込まれた硬貨のうち貨幣収納部１４０に収納されない硬貨を硬貨処理装置１３０の外部に返却したりする硬貨返却口１３２とを備えている。また、硬貨処理装置１３０の内部には、硬貨投入口１３１に投入された硬貨を硬貨処理装置１３０内で搬送する搬送部（図示せず）が設けられている。
【００７１】
次に、貨幣収納部１４０の構成について図１１および図１２を用いて説明する。図１１に示すように、貨幣収納部１４０は、貨幣入出金機１１０の筐体１１１の下部に設けられている。この貨幣収納部１４０は、図１２に示すように、紙幣を収納する紙幣収納カセット１４１、および硬貨を収納する硬貨収納カセット１４２を有している。紙幣収納カセット１４１には、紙幣処理装置１２０内に取り込まれた紙幣が収納されるようになっている。また、硬貨収納カセット１４２には、硬貨処理装置１３０内に取り込まれた硬貨が収納されるようになっている。そして、図１２に示すように、例えば売上金の回収業務を委託された警備会社の作業員等によって、貨幣収納部１４０が筐体１１１の前面側へ引き出され、この作業員等が各カセット１４１、１４２自体を貨幣収納部１４０から回収するようになっている。本発明では、図１１および図１２に示すような貨幣入出金機１１０において、貨幣収納部１４０の紙幣収納カセット１４１として、図３乃至図１０に示すような態様の紙幣収納カセットが用いられるようになっている。このことにより、警備会社の作業員等は、紙幣収納カセット１４１を筐体１１１から取り出したときに、この紙幣収納カセット１４１の筐体１４１ａに設けられた開口１４１ｂが明るいか否かを確認することによって、紙幣収納カセット１４１内に紙幣が収納されているかを知ることができるようになる。
【００７２】
また、本発明における紙葉類収納カセットは、紙幣を収納する紙幣収納カセットに限定されることはない。本発明における紙葉類収納カセットとして、紙幣の代わりに、小切手、商品券等の紙葉類を収納するものを用いてもよい。
【００７３】
また、本発明では、図３乃至図１０に示すような紙幣収納カセットの原理を、棒金硬貨を収納する棒金硬貨収納カセットにも応用することができる。図１３に、図３乃至図１０に示すような紙幣収納カセットの原理を応用した棒金硬貨収納カセットの縦断面図を示す。
【００７４】
図１３に示す棒金硬貨収納カセット２１０は、略直方体形状の筐体２１０ａを備えており、この筐体２１０ａの内部には、棒金硬貨が所定の位置に収納される棒金硬貨収納スペース２１７が形成されている。図１３において、左側が筐体２１０ａの前面側であり、右側が筐体２１０ａの背面側となっている。図１３に示すように、筐体２１０ａの前面に２つの開口２１１ａ、２１１ｂが形成されている。
【００７５】
図１３に示すように、筐体２１０ａ内における棒金硬貨収納スペース２１７には、棒金硬貨が所定の位置に収納される棒金硬貨収納部２１８が設けられている。図１３において、棒金硬貨収納部２１８に収納された棒金硬貨を参照符号Ｃで示す。
【００７６】
図１３に示す棒金硬貨収納カセット２１０においては、筐体２１０ａ内において、開口２１１ａ、２１１ｂにそれぞれ対応して第１のプリズム２１４および第２のプリズム２１５が棒金硬貨収納カセット２１０の長手方向（図１３における左右方向）に延びるよう設けられている。ここで、第１のプリズム２１４の前面側（図１３における左側）の端部は開口２１１ａを貫通するようになっており、また、第２のプリズム２１５の前面側の端部は開口２１１ｂを貫通するようになっている。また、第１のプリズム２１４の前面側の端部の表面はすりガラス状となっている。
【００７７】
また、第１のプリズム２１４および第２のプリズム２１５は、棒金硬貨収納スペース２１７を挟む両側位置にそれぞれ配置されている。具体的には、第１のプリズム２１４から光が放出される光放出箇所および第２のプリズム２１５に光が取り込まれる光取込箇所は、棒金硬貨収納スペース２１７を上下方向から挟むような位置にそれぞれ配置されている。そして、棒金硬貨収納スペース２１７に棒金硬貨が存在しないときには、すなわち棒金硬貨収納部２１８に棒金硬貨が収納されていないときには、開口２１１ａを介して筐体２１０ａの外部から内部に取り入れられた光は、第１のプリズム２１４により図１３における鉛直方向下方に向かうよう誘導され、棒金硬貨収納スペース２１７を通過した後、第２のプリズム２１５により図１３における左方に向かうよう誘導され、開口２１１ｂを介して筐体２１０ａの外部に出されるようになる。図１３において、光の経路を二点鎖線で示す。なお、棒金硬貨収納部２１８は、第１のプリズム２１４により図１３における鉛直方向下方に向かうよう誘導された光を第２のプリズム２１５に送るよう、透明または半透明の部材から形成されているか、または、この光が通過するような貫通穴（図示せず）が棒金硬貨収納部２１８に形成されている。ここで、第１のプリズム２１４の前面側の端部の表面がすりガラス状となっていることにより、筐体２１０ａの外部の光が乱反射して第１のプリズム２１４に入るようになるため、筐体２１０ａの外部における様々な向きの光を効率的に筐体２１０ａ内に取り込むことができるようになる。
【００７８】
このように、棒金硬貨収納部２１８に棒金硬貨が収納されていないときには、開口２１１ａを介して筐体２１０ａの外部から内部に取り入れられた光は、開口２１１ｂを介して筐体２１０ａの外部に出されるようになる。このため、筐体２１０ａを前面から見て開口２１１ｂは明るく見えるようになる。一方、棒金硬貨収納部２１８に棒金硬貨が収納されているときには、開口２１１ａを介して筐体２１０ａの外部から内部に取り入れられた光は、第１のプリズム２１４により図１３における鉛直方向下方に向かうよう誘導された後、棒金硬貨収納部２１８に収納された棒金硬貨により遮られるため、この光は開口２１１ｂを介して筐体２１０ａの外部に出されることはない。このため、筐体２１０ａを前面から見て開口２１１ｂは暗く見えるようになる。このように、操作者は、開口２１１ｂが明るいか否かを確認することによって、棒金硬貨収納カセット２１０内に紙幣が収納されているかを知ることができるようになる。
【００７９】
以上のように図１３に示すような棒金硬貨収納カセット２１０によれば、筐体２１０ａには２つの開口２１１ａ、２１１ｂが設けられており、また、筐体２１０ａ内に設けられた第１のプリズム２１４および第２のプリズム２１５により、一方の開口２１１ａにより筐体２１０ａ内に取り入れられ棒金硬貨収納スペース２１７を通過した光が他方の開口２１１ｂへ誘導されるようになっている。このため、操作者は、他方の開口２１１ｂが明るいか否かを確認することによって、棒金硬貨収納カセット２１０内に棒金硬貨が収納されているかを知ることができるようになる。このように、上述のような棒金硬貨収納カセット２１０によれば、シンプルな構成かつ、棒金硬貨収納カセット２１０内の棒金硬貨を直接見ることなく当該棒金硬貨収納カセット２１０に棒金硬貨が収納されているか否かを一目で確認することができる。このため、棒金硬貨収納カセット２１０の耐久性、利便性を向上させることができるとともに良好な防盗性を得ることができる。
【００８０】
また、棒金硬貨収納カセットの変形例として、光が通過するための２つの開口を棒金硬貨収納カセットの筐体に設ける代わりに、光が通過するための開口を１つだけ筐体に設けるようにしてもよい。図１４に、光が通過するための開口が１つだけ筐体に設けられているような例を示す。
【００８１】
図１４に示す棒金硬貨収納カセット２２０は、略直方体形状の筐体２２０ａを備えており、この筐体２２０ａの内部には、棒金硬貨が収納される棒金硬貨収納スペース２２７が形成されている。図１４において、左側が筐体２２０ａの前面側であり、右側が筐体２２０ａの背面側となっている。図１４に示すように、筐体２２０ａの前面に１つの開口２２１ａが形成されている。
【００８２】
また、図１４に示すように、筐体２２０ａ内における棒金硬貨収納スペース２２７には、棒金硬貨が所定の位置に収納される棒金硬貨収納部２２８が設けられている。
【００８３】
図１４に示す棒金硬貨収納カセット２２０においては、筐体２２０ａ内において、開口２２１ａに対応してプリズム２２４が紙幣収納カセット２２０の長手方向（図１４における左右方向）に延びるよう設けられている。ここで、プリズム２２４の前面側（図１４における左側）の端部は開口２２１ａを貫通するようになっている。また、プリズム２２４の前面側の端部の表面はすりガラス状となっている。
【００８４】
また、筐体２２０ａの上部の内壁には、プリズム２２４に対向するよう鏡２２５が設けられている。ここで、プリズム２２４および鏡２２５は、棒金硬貨収納スペース２２７を挟む両側位置にそれぞれ配置されている。具体的には、プリズム２２４から光が放出される光放出箇所（兼、光を取り込む光取込箇所）および鏡２２５は、棒金硬貨収納スペース２２７を上下方向から挟むような位置にそれぞれ配置されている。そして、棒金硬貨収納スペース２２７に棒金硬貨が存在しないときには、すなわち棒金硬貨収納部２２８に棒金硬貨が収納されていないときには、開口２２１ａを介して筐体２２０ａの外部から内部に取り入れられた光は、プリズム２２４により図１４における鉛直方向上方に向かうよう誘導され、棒金硬貨収納スペース２２７を通過した後、鏡２２５により反射して図１４における鉛直方向下方に向かうようになり、その後、プリズム２２４により図１４における左方に向かうよう誘導され、開口２２１ａを介して筐体２２０ａの外部に出されるようになる。図１４において、光の経路を二点鎖線で示す。
【００８５】
このように、棒金硬貨収納部２２８に棒金硬貨が収納されていないときには、前述のように、開口２２１ａを介して筐体２２０ａの外部から内部に取り入れられた光は、当該開口２２１ａを介して筐体２２０ａの外部に出されるようになる。このため、筐体２２０ａを前面から見て開口２２１ａは明るく見えるようになる。一方、棒金硬貨収納部２２８に棒金硬貨が収納されているときには、開口２２１ａを介して筐体２２０ａの外部から内部に取り入れられた光は、プリズム２２４により図１４における鉛直方向上方に向かうよう誘導された後、棒金硬貨収納部２２８に収納された棒金硬貨により遮られるため、この光は開口２２１ａを介して筐体２２０ａの外部に出されることはない。このため、筐体２２０ａを前面から見て開口２２１ａは暗く見えるようになる。このように、光が通過するための開口２２１ａを１つだけ筐体２２０ａに設ける場合でも、図１３に示すように光が通過するための２つの開口２１１ａ、２１１ｂを棒金硬貨収納カセット２１０の筐体２１０ａに設けた場合と同様に、操作者は、筐体２２０ａの前面に設けられた開口２２１ａが明るいか否かを確認することによって、棒金硬貨収納カセット２２０内に棒金硬貨が収納されているかを知ることができるようになる。
【００８６】
なお、図１３および図１４に示すような棒金硬貨収納カセットでも、筐体内で光を誘導するための光誘導手段としてプリズムや鏡以外のものを用いてもよい。例えば、光誘導手段として、プリズムや鏡を用いる代わりに、光ファイバー等を用いてもよい。
【符号の説明】
【００８７】
１０  紙幣釣銭機
１０ａ  筐体
１１  紙幣識別部
１３ａ  周回搬送部
１３ｂ  接続搬送部
１４  出金リジェクト部
１６  紙幣収納部
２４  紙幣受入部
２４ａ  紙幣受入口
２６  紙幣払出部
２６ａ  紙幣取出口
２８  鍵穴
３０  紙幣収納カセット
３０ａ  筐体
３１ａ  開口
３１ｂ  開口
３１ｃ  開口
３２  第１の透明部材
３３  第２の透明部材
３４  第１のプリズム
３５  第２のプリズム
３６  鍵穴
３７  紙幣収納スペース
３８  紙幣載置ステージ
３９  紙幣繰出機構
４０  第１の鏡
４１  第２の鏡
４２  第１の光ファイバー
４３  第２の光ファイバー
５０  紙幣収納カセット
５０ａ  筐体
５１ａ  開口
５１ｂ  開口
５１ｃ  開口
５２  透明部材
５５  プリズム
５７  紙幣収納スペース
５８  紙幣載置ステージ
５９  紙幣繰出機構
６０  紙幣収納カセット
６０ａ  筐体
６１ａ  開口
６１ｂ  開口
６１ｃ  開口
６４  第１のプリズム
６５  第２のプリズム
６７  紙幣収納スペース
６８  紙幣載置ステージ
６９  紙幣繰出機構
７０  紙幣収納カセット
７０ａ  筐体
７１ａ  開口
７１ｃ  開口
７４  プリズム
７５  鏡
７７  紙幣収納スペース
７８  紙幣載置ステージ
７９  紙幣繰出機構
１１０  貨幣入出金機
１１１  筐体
１２０  紙幣処理装置
１２１  紙幣投入口
１２２  紙幣リジェクト口
１２３  紙幣返却口
１２４  扉
１２８  紙幣ステージ
１３０  硬貨処理装置
１３１  硬貨投入口
１３２  硬貨返却口
１４０  貨幣収納部
１４１  紙幣収納カセット
１４１ａ  筐体
１４１ｂ  開口
１４２  硬貨収納カセット
２１０  棒金硬貨収納カセット
２１０ａ  筐体
２１１ａ  開口
２１１ｂ  開口
２１４  第１のプリズム
２１５  第２のプリズム
２１７  棒金硬貨収納スペース
２１８  棒金硬貨収納部
２２０  棒金硬貨収納カセット
２２０ａ  筐体
２２１ａ  開口
２２４  プリズム
２２５  鏡
２２７  棒金硬貨収納スペース
２２８  棒金硬貨収納部
【図１】
2013029997.tif 000003
【図２】
2013029997.tif 000004
【図３】
2013029997.tif 000005
【図４】
2013029997.tif 000006
【図５】
2013029997.tif 000007
【図６】
2013029997.tif 000008
【図７】
2013029997.tif 000009
【図８】
2013029997.tif 000010
【図９】
2013029997.tif 000011
【図１０】
2013029997.tif 000012
【図１１】
2013029997.tif 000013
【図１２】
2013029997.tif 000014
【図１３】
2013029997.tif 000015
【図１４】
2013029997.tif 000016